(57)【要約】【課題】表示パネルに配置された複数の有機ＥＬ素子は、発光時間と共に輝度が低下するので、その輝度を維持するために消費電力を増やしているが、この消費電力を増やすことで、有機ＥＬ素子の寿命を短くしていた。【解決手段】表示パネル１４を駆動する電源回路１７は、有機ＥＬ素子のカソード電流１９を検出する検出部２０からの検出信号２１に基づいて、一定値以下に制御される。その結果、電源回路１７からの駆動電力１８が一定値以下に制限され、表示パネル１４の消費電力が一定値以下に制限されることになる。これによって、有機ＥＬ素子の消費電力の増大を防止し、有機ＥＬ素子の長寿命化を図ることができる。【選択図】図１
2006091681.tif 000002
【特許請求の範囲】
【請求項１】
複数の自発光素子が配置された表示パネルと、表示パネルを制御する制御回路と、制御回路からの制御信号に基づいて、表示パネルへ画像信号を入力する信号処理回路と、表示パネルへ電力を供給する電源回路とを備えた表示装置において、
前記電源回路は、表示パネルの消費電力を検出する検出部からの検出信号に基づいて、表示パネルへ供給する電力を一定値以下に制限することを特徴とする表示装置
【請求項２】
前記自発光素子が、有機ＥＬ素子であって、前記検出部が有機ＥＬ素子のカソード電流を検出することを特徴とする請求項１に記載の表示装置
【請求項３】
前記自発光素子が、有機ＥＬ素子であって、前記検出部が有機ＥＬ素子のアノード電流を検出することを特徴とする請求項１に記載の表示装置
【請求項４】
前記自発光素子が、有機ＥＬ素子であって、前記検出部が、有機ＥＬ素子のカソード電流とアノード電流との何れか一方又は両方を検出し、表示パネル又は電源回路内に設けられていることを特徴とする請求項１に記載の表示装置
【請求項５】
複数の自発光素子が配置された表示パネルと、表示パネルを制御する制御回路と、制御回路からの制御信号に基づいて、表示パネルへ画像信号を入力する信号処理回路と、表示パネルへ電力を供給する電源回路とを備えた表示装置において、
前記電源回路は、画像信号の輝度レベルを検出する検出部からの検出信号に基づいて、表示パネルへ供給する電力を一定値以下に制限することを特徴とする表示装置
【請求項６】
前記画像信号が、信号処理回路に入力される画像信号であることを特徴とする請求項５に記載の表示装置
【請求項７】
複数の自発光素子が配置された表示パネルと、表示パネルを制御する制御回路と、制御回路からの制御信号に基づいて、表示パネルへ画像信号を入力する信号処理回路と、表示パネルへ電力を供給する電源回路とを備えた表示装置において、
前記電源回路及び信号処理回路は、表示パネルの消費電力を検出する検出部からの検出信号に基づいて、表示パネルへ供給する電力を一定値以下に制限することを特徴とする表示装置
【請求項８】
複数の自発光素子が配置された表示パネルと、表示パネルを制御する制御回路と、制御回路からの制御信号に基づいて、表示パネルへ画像信号を入力する信号処理回路と、表示パネルへ電力を供給する電源回路とを備えた表示装置において、
前記電源回路は、表示パネルの消費電力を制限する電力制限回路からの検出信号に基づいて、表示パネルへ供給する電力を一定値以下に制限することを特徴とする表示装置
【請求項９】
電源回路から電力が供給され、信号処理回路からの画像信号を制御回路からの制御信号に基づいて表示パネルに画像を表示する表示方法において、
前記電源回路は、表示パネルの消費電力を検出する検出部からの検出信号に基づいて、表示パネルへ供給する電力を一定値以下に制限することを特徴とする表示方法
【発明の詳細な説明】
【技術分野】
【０００１】
本発明は、消費電力を一定値以下に制限する省エネタイプの表示装置及び表示方法に関する。
【背景技術】
【０００２】
画像を表示する表示装置として、特に、薄型のフラットパネルディスプレイとしては、ＰＤＰ（Plasma Display Panel）、ＦＥＤ(Field Emission Display)、有機ＥＬ(Organic Electro Luminescence) ディスプレイなどの自発光型画像表示装置がある。
【０００３】
これら自発光型画像表示装置において、下記特許文献１には、平均輝度の高い画像を表示するときには、画面の表示輝度を落とすよう制御することで、表示品質を損ねることなく表示装置内の自発光素子の発光量を軽減し、自発光素子の長寿命化を図り、また、ピーク輝度を抑制した低消費電力化、温度変化に起因する発光輝度変化を補償した表示装置が記載されている。
【０００４】
また、下記特許文献２には、平均輝度が高い場合にはパネル電力を抑制しつつ、平均輝度が低いが一部に輝度がある場合にはピーク輝度を再現する画像表示装置が記載されている。
【０００５】
さらに、下記特許文献３には、映像信号の平均輝度レベルと、パネルの各画素に流れる素子電流の平均レベルと、パネルに印加する高圧電流とを検出して、パルス幅変調／ドライバと走査ドライバに供給する電源電圧を変調するマトリクス型表示装置が記載されている。
【０００６】
また、下記特許文献４には、有機ＥＬに注入される電荷量の測定結果に従って、駆動トランジスタのゲートに電圧を印加することによって、有機ＥＬに注入される総電荷量を制御する表示装置が記載されている。
【０００７】
さらに、下記特許文献５には、自発光表示素子に流れる電流を検出して、自発光表示素子の経時的な輝度の変化を防ぐ自発光表示素子駆動装置が記載されている。
【特許文献１】特開２００３−３３０４２１号公報
【特許文献２】特開２００１−２８２１７６号公報
【特許文献３】特開２０００−２２１９４５号公報
【特許文献４】特開２０００−３３０５１７号公報
【特許文献５】特開２００１−１３９０３号公報
【発明の開示】
【発明が解決しようとする課題】
【０００８】
背景技術の特許文献１ないし４においては、パネル内の自発光素子に流れる電流を検出して、画像信号の明るさに応じて、その電流を抑制することで低消費電力化を図っている。
【０００９】
また、携帯機器において、電源電力には許容限界があるため、低消費電力化が図られているが、表示する画像の種類によっては、その消費電力が多くなり、許容限界をすぐに超えてしまう。
【００１０】
なお、一般に、表示装置のパワーセーブと称して、表示画面の明るさを落とし、低消費電力化を図っているが、パネルの大型化又は表示装置の高機能化に伴って、全体の消費電力は増大する傾向にある。
【００１１】
また、特許文献５に記載されているように、自発光素子としての有機ＥＬは、動作時間と共に輝度が低下するので、それを補うために消費電力を増やすが、そのために寿命が短くなる。
【００１２】
そこで、本発明は、消費電力を検出し、その消費電力を一定値以下に制限することで、消費電力の増大を抑制すると共に長寿命化を実現する表示装置及び表示方法を提供することを目的とする。
【課題を解決するための手段】
【００１３】
表示パネルに配置された複数の自発光素子としての有機ＥＬ素子に与える電力を制限し、その電力の範囲内で、有機ＥＬ素子の駆動電圧値と駆動電流値を定めて、画像信号を表示する。有機ＥＬの消費電力を、表示フレーム単位で検出し、消費電力が一定値を超えないように制御する。
【００１４】
例えば、有機ＥＬ素子に供給される電流値を検出し、電流値が大（小）の場合には、駆動電圧値を小（大）とするように制御する。
【００１５】
また、画像信号から平均輝度を検出し、平均輝度が高い（低い）場合は、駆動電圧値を小（大）とするように制御する。
【００１６】
消費電力を一定値以下と制限するので、表示領域を制限して、画像を縮小表示する場合に、表示領域を制限しない場合よりも明るい画像を表示する。
【発明の効果】
【００１７】
全体が明るい画面では、平均輝度を下げるように、逆の場合には、上げるように、駆動電圧と駆動電流をダイナミックに制御するので、高画質を維持したまま、消費電力の増大を制限・抑制すると共に長寿命化が実現できる。また、消費電力の制限・抑制により表示パネル及び駆動回路基板自体の発熱による寿命の低減を防止し、長寿命化に相乗効果をもたらす。
【発明を実施するための最良の形態】
【００１８】
以下、図面を用いて、本発明の実施例を説明する。
【実施例１】
【００１９】
図１は、本発明に係る表示装置１０の概略図であって、入力画像信号１１は、信号処理回路１２で処理され、処理された画像信号１３は表示パネル１４に供給される。表示パネル１４に入力された画像信号１３は、表示パネル１４に供給される制御回路１５からの制御信号１６に基づいて、表示パネル１４に表示される。
【００２０】
一方、表示パネル１４には、電源回路１７から駆動電圧及び駆動電流としての駆動電力１８が供給され、表示パネル１４内に配置された複数の自発光素子である有機ＥＬ素子の発光状態が制御される。発光状態が制御された複数の有機ＥＬ素子のカソード電流１９を検出部２０で検出し、検出信号２１を電源回路１７にフィードバックする。また、カソード電流１９も電源回路１７に戻される。
【００２１】
電源回路１７は、表示画像の輝度の状況を示す検出信号２１に基づいて、表示パネル１４に供給する駆動電力１８が一定値以下、すなわち、表示パネル１４の消費電力が一定値以下と制限されるように制御される。
【００２２】
例えば、検出信号２１が大きい場合は、カソード電流１９も多いので、駆動電力１８のうち駆動電圧を小さくすることによって、電流と電圧の積である電力を一定値以下と制限する。また、カソード電流１９の検出信号２１を自乗することによって、表示パネル１４の消費電力を求め、駆動電力１８を一定値以下と制限するように制御してもよい。
【００２３】
図２は、本実施例の他の表示装置の概略図であって、図１と異なるのは、検出部２０が駆動電力１８を検出する点で、他の構成は図１と同じである。同図において、検出部２０は、駆動電力１８のうち駆動電流（有機ＥＬ素子のアノード電流）を検出して、電源回路１７に検出信号２１をフィードバックさせる。電源回路１７は、検出信号２１に基づいて、駆動電力１８のうち駆動電圧を制御し、駆動電力１８を一定値以下と制限する。このようにして、表示パネル１４の消費電力が一定値以下と制限するように制御する。
【００２４】
また、検出部２０が、駆動電圧と駆動電流との積である駆動電力１８を直接検出し、検出信号２１を電源回路１７にフィードバックさせることで、駆動電力１８を一定値以下と制限するように制御してもよい。
【００２５】
図３は、本実施例のさらに他の表示装置の概略図であって、図１，２と異なるのは、検出部２０を表示パネル１４内に設ける点で、他の構成は図１，２と同じである。同図においての制御は、図１又は図２に示す制御の他に、これらを組み合わせる制御であってもよい。また、検出部２０を電源回路１７内に設けてもよい。
【実施例２】
【００２６】
実施例１においては、表示画像の輝度の状況を示す検出信号２１を、表示パネル１４の有機ＥＬ素子のカソード電流又はアノード電流に相当する駆動電流を直接検出する検出部２０から得ていたが、本実施例は、表示画像の輝度の状況を示す検出信号２１を、画像信号を検出する検出部から得るものである。
【００２７】
図４は、本発明に係る表示装置の概略図であって、実施例１と異なるのは、検出部２０が画像信号１３の輝度レベルを検出する点で、他の構成は実施例１と同じである。同図において、検出部２０は、画像信号１３の輝度レベルを検出し、この検出信号２１で電源回路１７を制御する。
【００２８】
例えば、画像信号１３のピーク輝度レベル又はフレーム単位の平均輝度レベルを検出し、電源回路１７が供給する駆動電力１８のうち駆動電圧を制御し、駆動電力１８を一定値以下と制限することで、表示パネル１４の消費電力を一定値以下と制限する。すなわち、平均輝度が高い（低い）場合は、駆動電圧値を小（大）とするように制御する。また、駆動電力１８のうち駆動電流又は駆動電流と駆動電圧とを組み合わせて制御してもよい。
【００２９】
図５は、本実施例の他の表示装置の概略図であって、図４と異なるのは、検出部２０が入力画像信号１１の輝度レベルを検出する点で、他の構成は図４と同じである。同図においての動作は、図４の動作と同じである。
【００３０】
図４，５において、検出部２０は、信号処理回路１７とは別に設けたが、信号処理回路１７内に設けてもよい。また、検出部２０が、入力画像信号１１と画像信号１３の両信号のレベルを検出して、電源回路１７を制御してもよい。
【実施例３】
【００３１】
本実施例は、実施例１において、電源回路１７にフィードバックした検出信号２１を、さらに、信号処理回路１２へフィードバックするものである。
【００３２】
図６は、本発明に係る表示装置の概略図であって、図１に対応し、図１と異なるのは、検出信号２１が信号処理回路１２へフィードバックされる点である。同図において、検出部２０からの検出信号２１を、電源回路１７及び信号処理回路１２へフィードバックすることにより、電源回路１７からの駆動電力１８を、確実に一定値以下に制御することができる。これにより、表示パネル１４の消費電力を、確実に一定値以下に制御することができる。また、図２，３において、検出信号２１を信号処理回路１２へフィードバックさせてもよい。
【００３３】
以上の実施例１ないし３において、消費電力を一定値以下にする電力制限駆動について、図７を用いて説明する。同図は、消費電力の変動を示す図であって、同図（ａ）は、本発明に係る電力制限駆動を行わずに、表示パネル１４に画像を表示した場合の時間に対する消費電力の推移を示し、同図（ｂ）は、本発明に係る電力制限駆動を行い、表示パネル１４に画像を表示した場合の時間に対する消費電力の推移を示す。
【００３４】
図７において、電力制限駆動を行わない同図（ａ）では、平均消費電力及び全白表示の最大消費電力が共に、電力制限駆動を行う同図（ｂ）に示すものより大きくなる。従来の表示装置の駆動方法においては、その表示画面の輝度が最大となる（表示画面全域が白く表示される）ときも、最小となる（表示画面全域が黒く表示される）ときも、電源回路から表示パネルに供給される駆動電力は一定に保たれる。このため、表示画面の輝度が最大となる言わば全白表示において、当該駆動電力は表示パネルにて大きく消費される。その結果、同図（ａ）に示される如く、表示パネルにて所定の期間における所定の画像を表示したときの当該所定期間における駆動電力の消費量も大きくなり、この所定期間を通して消費された駆動電力の平均値（平均消費電力）も高くなる。
【００３５】
これに対し、本発明による表示装置の駆動方法は、その表示画面の輝度が高くなる（所謂、明るい画像が表示される）とき、表示パネル１４に供給される駆動電力１８自体を低減する。これにより、同図（ｂ）に示される如く、表示画面全域が白く表示されるときにおいて、表示パネル１４に消費される駆動電力１８は低く抑えられ、また、暗い画像は必要以上に暗くなることなく表示パネル１４に表示される。暗い画像の一例として、星空を挙げる場合、漆黒の闇に煌めく星が高いコントラストで表示される。その結果、本発明による表示装置で上述の所定の期間における所定の画像を表示した場合、同図（ｂ）を同図（ａ）と比較して明らかなように、最大消費電力のみならず、平均消費電力も制限されている。
【００３６】
本発明による表示装置の駆動方法の特徴は、別の観点で以下のようにも記される。本発明による表示パネル１４の駆動電力１８の制御にフィードバックされる画像信号に関係なく、表示パネル１４の画面全域を白く表示した場合、表示パネル１４の表示画面の輝度は、この表示画面を明るく表示させる画像信号に対して下がり、この表示画面を暗く表示させる画像信号に対して上がる。
【００３７】
以上に説明したように、本発明による表示装置（その駆動方法）では、平均消費電力及び最大消費電力が制限されることで、表示パネル１４の温度上昇が抑えられるため、これに因る諸問題が除去されて、表示装置の信頼性が向上し、その長寿命化が実現できる。
【００３８】
図８は、電力制限と表示パネル１４の表示領域を制限することによって、同図（ａ）に示す表示領域全体の輝度は、同図（ｂ）に示す表示領域が半分に制限された表示領域に、本発明に係る電力制限を行うと、同図（ａ）での消費電力と同一電力であるから、制限された表示領域の輝度は２倍と明るくなる。
【００３９】
なお、同図（ｃ）は、本発明に係る電力制限を行わない場合であって、半分に制限された表示領域の輝度は、同図（ａ）に示す表示領域全体の輝度と同じ輝度となる。この場合、消費電力は半分になるが、電力制限を行わないと、同図（ａ）での消費電力と同図（ｃ）での消費電力の差が２倍と、大きく変動することになり、容量に限度がある電源や有機ＥＬ素子の長寿命化に好ましくない。
【実施例４】
【００４０】
図９は、本発明に係る表示装置の概略図であって、実施例１ないし３における表示パネル１４の構成をより具体的に示した図である。
【００４１】
図９において、制御回路１５からの制御信号１６に基づいて、走査信号駆動回路５１は走査線５２を順次選択する。一方、信号処理回路１２からの画像信号１３に基づいて、データ信号駆動回路５３はデータ線５４にデータ信号を供給する。
【００４２】
走査線５２とデータ線５４の交差部には、スイッチングＴＦＴ５５が配置され、走査線５２はスイッチングＴＦＴ５５のゲートに接続され、データ線５４はスイッチングＴＦＴ５５のソース又はドレインの一方に接続される。ここで、走査線５２が選択されると、スイッチングＴＦＴ５５はオン状態となる。
【００４３】
スイッチングＴＦＴ５５のソース又はドレインの他方は、ドライブＴＦＴ５６のゲート及びデータ信号を記憶する容量５７の一方の電極に接続される。ここで、容量５７に記憶されたデータ信号に応じて、ドライブＴＦＴ５６が駆動される。
【００４４】
ドライブＴＦＴ５６のソース又はドレインの一方は、容量５７の他方の電極に接続されると共に、電源回路１７の電力供給線５８に接続される。また、ドライブＴＦＴ５６のソース又はドレインの他方は、有機ＥＬ素子５９のアノードに接続され、有機ＥＬ素子５９のカソードは、カソード電流線６０及び電力制限回路６１を介して、電源回路１７のカソード電流線６０に接続される。ここで、ドライブＴＦＴ５６は、容量５７に記憶されたデータ信号に応じて、スイッチングＴＦＴ５５がオフした後も有機ＥＬ素子５９を駆動する。
【００４５】
電力制限回路６１は、カソード電流線６０中に挿入された抵抗６２と、その両端が差動入力に接続される差動増幅器６３とからなる。差動増幅器６３からの検出信号２１に基づいて、電源回路１７が制御される。ここで、有機ＥＬ素子５９は、容量５７に記憶されたデータ信号に応じて、ドライブＴＦＴ５６で駆動されると共に、ドライブＴＦＴ５６に供給される制限された電力に応じて、その発光状態が制御される。
【００４６】
本実施例においては、電力制限回路６１を設けたが、この電力制限回路６１は、実施例１ないし３における検出部２０に適用できる。
【実施例５】
【００４７】
図１０は、上述の実施例１乃至４にて説明した表示装置１０において、検出信号２１を制御回路１５にフィードバックする一例を図１に基づいて示す。
【００４８】
本実施例における表示パネル１４の一例を、図９を参照して説明すると、制御回路１５は、検出信号２１に応じてこれから出力される制御信号１６で、走査信号駆動回路５１から走査線５２への走査信号の出力期間を制御する。
【００４９】
走査信号は、例えば走査線５２に順次出力されて、これに接続されるスイッチングＴＦＴ５５の各々のゲートに印加される電圧信号である。走査信号が出力された走査線５２に接続されるスイッチングＴＦＴ５５の各々は、この走査信号がそのゲートに印加された期間にターン・オンされ、個々のスイッチングＴＦＴ５５のソース又はドレインの一方に接続されたデータ線５４から画像信号に応じた電荷を当該ソース又はドレインの他方に接続された容量５７に取り込む。このような動作は、走査線５２による画素（そのスイッチングＴＦＴ５５が当該走査線５２に接続される）の選択とも呼ばれる。
【００５０】
このように走査線５２で選択された画素の各々は、そのスイッチングＴＦＴ５５がターン・オンされた期間、換言すれば、当該走査線５２に上記走査信号駆動回路５１から走査信号が出力された期間において、データ線５４から画像信号に応じた電荷を取り込む。別の見方をすれば、表示パネル１４に入力された画像信号１３でデータ信号駆動回路５３から所定のデータ信号がデータ線５４に出力されても、このデータ線５４から画素が取り込める電荷量は当該画素を選択する走査信号の走査信号駆動回路５１からの出力期間に応じて変わる。
【００５１】
本実施例では、表示パネル１４に明るい画像を表示させる画像信号１３が入力される（図１０の例では、カソード電流１９が増える）とき、検出信号２１は制御信号１６を通して走査信号駆動回路５１が走査信号を走査線５２に出力する期間を短くする。逆に、表示パネル１４に暗い画像を表示させる画像信号１３が入力されるとき、検出信号２１は制御信号１６を通して走査信号駆動回路５１が走査信号を走査線５２に出力する期間を、表示パネル１４に明るい画像を表示させる画像信号１３が入力されたときのそれより、長くする。
【００５２】
従って、画素の或る一つを常に所定の階調（明るさ）で表示される場合、当該一つの画素に備えられた容量５７に取り込まれる電荷量は、表示パネル１４に明るい画像を表示させる画像信号１３が入力されたときに小さくなり、表示パネル１４に暗い画像を表示させる画像信号１３が入力されたときに前者のそれより大きくなる。
【００５３】
一方、画素の各々において、これに備えられたドライブＴＦＴ５６は、これに備えられた容量５７に蓄えられた電荷量に応じて、これに備えられた有機ＥＬ素子５９への電流の供給量（駆動方式によっては、供給期間）を制御する。
【００５４】
従って、本実施例では、表示パネル１４に入力される画像信号１３に応じて、これに供給される駆動電力１８を調整しなくとも、表示パネル１４における駆動電力１８の消費量を、明るい画像を表示させる画像信号１３に対して低く抑えることができる。
【００５５】
本実施例では、検出信号２１を制御回路１５にフィードバックしたが、この制御回路１５に相当する機能を走査信号駆動回路５１に持たせても、また、検出信号２１を走査信号駆動回路５１にフィードバックしてもよい。後者の場合、例えば、走査信号駆動回路５１の走査線５２の夫々に接続される端子の前段にスイッチング素子を設け、これにより走査信号の出力期間を検出信号２１に応じて制限するとよい。
【実施例６】
【００５６】
図１１は、上述の実施例１乃至５にて説明した表示装置１０に好適な駆動シーケンスを説明する流れ図である。上述したように、本発明による表示装置１０では、その表示パネル１４に入力される画像信号１３や信号処理回路１２への入力画像信号１１に応じて、電源回路１７、信号処理回路１２、制御回路１５、及び走査信号駆動回路５１の少なくとも一つの動作が調整される。
【００５７】
これにより、表示パネル１４の画面全域をこれに入力された画像信号１３に関係なく最大輝度で表示させたときの当該画面の輝度（以下、全白時の輝度）は、明るい画像を表示させる画像信号１３に対して低められ、暗い画像を表示させる画像信号１３に対して高められる。
【００５８】
本実施例では、実施例１乃至５にて説明した表示装置１０の表示パネル１４（表示画面）の平均輝度（図１１の平均輝度Ｌａとは異なる）を、当該表示パネル１４に供給される駆動電力１８を一定に保ちながら測定し、その平均輝度の値に応じて複数の範囲Ａ１〜Ａｎに分ける。
【００５９】
この平均輝度範囲Ａ１〜Ａｎの夫々には、上述した駆動電力１８（これに拠る駆動電流や駆動電圧）や、走査信号駆動回路５１からの走査信号の出力期間の調整量が個別に割り当てられる。即ち、本実施例に記す表示装置の駆動方法は、駆動電力１８や走査信号の出力期間を、表示パネル１４に入力される画像信号１３や信号処理回路１２への入力画像信号１１が表示パネル１４に表示させんとする「画像の明るさ」に応じて逐一調整する代わりに、当該画像信号１３や当該入力画像信号１１に応じた「画像の明るさ（図１１に示す平均輝度Ｌａ）」が平均輝度範囲Ａ１〜Ａｎのいずれに相当するかに応じて段階的に調整する。
【００６０】
図１２は、平均輝度範囲Ａ１〜Ａｎの夫々に駆動電力１８や走査信号の出力期間の調整量を割り当てる一例を説明する図である。横軸に示す「画像信号の平均輝度」は、上述のように一定の駆動電力１８が供給される表示パネル１４の画面全域で測定された平均輝度で、画面内の全画素の輝度を最大にする画像信号（上述した画像信号１３や入力画像信号１１）に対応する平均輝度の測定値を１００％とし、当該全画素の輝度を最小にする画像信号に対応する平均輝度の測定値を０％とする。
【００６１】
横軸に示される「画像信号の平均輝度」は、その値に応じて、平均輝度範囲Ａ１〜Ａｎに分けられる。平均輝度範囲は、夫々の範囲が均等になるように（例えば２０％毎に５つに）分けても、夫々の範囲を不均等に分けてもよい。
【００６２】
縦軸に示される「全白設定輝度」は、平均輝度範囲Ａ１〜Ａｎの夫々に対する駆動電力１８や走査信号の出力期間の調整量を反映するもので、この調整量に応じた言わば表示パネル１４の駆動条件の各々にて、表示画面全域を上記画像信号に関係なく最大輝度で光らせたときの輝度Ｌ１〜Ｌｎとして得られる。即ち、平均輝度範囲Ａ１には全白設定輝度Ｌ１（これに応じた駆動電力１８や走査信号の出力期間の調整量）が、平均輝度範囲Ａ２には全白設定輝度Ｌ２が、平均輝度範囲Ａｎには全白設定輝度Ｌｎが、夫々割り当てられる。
【００６３】
表示パネル１４に入力される画像信号１３や信号処理回路１２への入力画像信号１１が表示パネル１４に表示させんとする「画像の明るさ（平均輝度Ｌａ）」は、検出信号２１がフィードバックされる電源回路１７，信号処理回路１２，制御回路１５，及び走査信号駆動回路５１のいずれかで認識させるとよい。また、その回路の前段に検出信号２１の識別回路を設け、これにより認識された平均輝度範囲Ａ１〜Ａｎのいずれかに応じて当該回路に駆動電力１８や走査信号の出力期間を調整させてもよい。
【００６４】
本実施例によれば、実施例１乃至５にて述べた表示装置１０の各々において、表示パネル１４の駆動条件が、これに入力される画像信号に応じて迅速に設定される。
【図面の簡単な説明】
【００６５】
【図１】本発明に係る表示装置の概略図（実施例１）
【図２】本発明に係る他の表示装置の概略図（実施例１）
【図３】本発明に係るさらに他の表示装置の概略図（実施例１）
【図４】本発明に係る表示装置の概略図（実施例２）
【図５】本発明に係る他の表示装置の概略図（実施例２）
【図６】本発明に係る表示装置の概略図（実施例３）
【図７】消費電力の推移を示す図
【図８】電力制限と表示領域制限とを行った場合の説明図
【図９】本発明に係る表示装置の概略図（実施例４）
【図１０】本発明に係る表示装置の概略図（実施例５）
【図１１】本発明に係る表示装置の駆動方法の流れ図（実施例６）
【図１２】本発明に係る表示装置の駆動方法の説明図（実施例６）
【符号の説明】
【００６６】
１０…表示装置、１１…入力画像信号、１２…信号処理回路、１３…画像信号、１４…表示パネル、１５…制御回路、１６…制御信号、１７…電源回路、１８…駆動電力、１９…カソード電流、２０…検出部、２１…検出信号、５１…走査信号駆動回路、５２…走査線、５３…データ信号駆動回路、５４…データ線、５５…スイッチングＴＦＴ、５６…ドライブＴＦＴ、５７…容量、５８…電力供給線、５９…有機ＥＬ素子、６０…カソード電流線、６１…電力制限回路、６２…抵抗、６３…差動増幅器
【図１】
2006091681.tif 000003
【図２】
2006091681.tif 000004
【図３】
2006091681.tif 000005
【図４】
2006091681.tif 000006
【図５】
2006091681.tif 000007
【図６】
2006091681.tif 000008
【図７】
2006091681.tif 000009
【図９】
2006091681.tif 000010
【図１０】
2006091681.tif 000011
【図１１】
2006091681.tif 000012
【図１２】
2006091681.tif 000013
【図８】
2006091681.tif 000014
【手続補正書】
【提出日】平成16年9月27日(2004.9.27)
【手続補正１】
【補正対象書類名】図面
【補正対象項目名】図７
【補正方法】変更
【補正の内容】
【図７】
2006091681.tif 000015
【手続補正２】
【補正対象書類名】図面
【補正対象項目名】図１１
【補正方法】変更
【補正の内容】
【図１１】
2006091681.tif 000016
【手続補正３】
【補正対象書類名】図面
【補正対象項目名】図１２
【補正方法】変更
【補正の内容】
【図１２】
2006091681.tif 000017